(57)【要約】着信者の移動通信用端末機がマルチメディアメッセージングサービス（ＭＭＳ）を支援する場合、あらかじめ保存されたＭＭＳデータが読み出される。そうでない場合は、ＭＭＳデータのうち短文メッセージングサービス（ＳＭＳ）だけが読み出される。読み出されたＭＭＳまたはＳＭＳデータは、移動通信中継器を通じて着信者の移動通信用端末機に伝送される。文字データを発信者の移動通信用端末機によって入力しつつ、発信者の移動通信用端末機が入力メッセージの伝送を要請すると、文字データはＭＭＳまたはＳＭＳと共に着信者の移動通信用端末機に伝送される。
2006514513.tif 000002
【特許請求の範囲】
【請求項１】
加入者のインターネット接続機能付き個人用端末機をＭＭＳ用サーバに接続してＭＭＳデータを設定し、設定したＭＭＳデータをデータベースの該当加入者領域に保存するステップ（ａ）と、
発信者の移動通信用端末機を通じて所定のデータが入力され着信者の移動通信用端末機に伝送される場合、前記ＭＭＳ用サーバが前記ステップ（ａ）で加入者領域に予め保存したＭＭＳデータのうち前記着信者の移動通信用端末機がＭＭＳを支援するか否かに応じて選択されるデータを読み出すステップ（ｂ）と、
前記ステップ（ｂ）で読み出されたＭＭＳデータと前記発信者の移動通信用端末機を通じて入力されたデータを移動通信会社のサーバを通じて移動通信中継器に伝達して、両方のデータを前記着信者の移動通信用端末機に伝送させるステップ（ｃ）とを含み、
前記ステップ（ｂ）は、
前記発信者の移動通信用端末機をから前記着信者の移動通信用端末機に所定データの伝送を要請する場合、前記移動通信会社のサーバが前記発信者及び着信者の電話番号と、前記着信者の移動通信用端末機の情報を前記ＭＭＳ用サーバに提供するステップ（ｂ−１）と、
前記ステップ（ｂ−１）で提供された前記着信者の移動通信用端末機の情報に基づき、前記ＭＭＳ用サーバが前記着信者の移動通信用端末機のＭＭＳを支援するか否かを判断するステップ（ｂ−２）と、
前記ステップ（ｂ−２）において前記着信者の移動通信用端末機がＭＭＳを支援すると判断された場合、発信者の前記データベースの該当加入者領域に保存されたＭＭＳデータを読み出すステップ（ｂ−３）と、
前記ステップ（ｂ−２）において前記着信者の移動通信用端末機がＭＭＳを支援しないと判断された場合、前記発信者の前記データベースの前記発信者の該当加入者領域に保存されたＭＭＳデータに含まれているＳＭＳデータだけを読み出すステップ（ｂ−４）とを含む
ことを特徴とするマルチメディアメッセージング（ＭＭＳ）サービスの提供方法。
【請求項２】
前記ステップ（ａ）は、
前記個人用端末機が前記ＭＭＳ用サーバに接続してＭＭＳデータの選択を要請する場合、前記データベースのＭＭＳデータ領域に保存されているＭＭＳデータの目録を表示しＭＭＳデータを選択させるステップ（ａ−１）と、
前記ステップ（ａ−１）において前記個人用端末機により所定のＭＭＳデータを選択する場合、その選択したＭＭＳデータを表示し、前記加入者のＭＭＳデータとして設定するか否かを判断するステップ（ａ−２）と、
前記ステップ（ａ−２）において前記加入者のＭＭＳデータとして設定しない場合、前記ＭＭＳデータの目録を表示する動作を繰り返しＭＭＳデータを選択させるステップ（ａ−３）と、
前記ステップ（ａ−２）において前記加入者のＭＭＳデータとして設定する場合、設定されたＭＭＳデータを前記データベースの該当加入者領域に保存するステップ（ａ−４）と
を含むことを特徴とする請求項１に記載の方法。
【請求項３】
前記ステップ（ａ）は、
前記個人用端末機がＭＭＳ用サーバに接続してＭＭＳデータの選択を要請する場合、前記個人用端末機からＭＭＳデータを受け取るステップ（ａ−５）と、
前記ステップ（ａ−５）において受け取ったＭＭＳデータを前記データベースの該当加入者領域に保存するステップ（ａ−６）と
をさらに含むことを特徴とする請求項２に記載の方法。
【請求項４】
前記インターネット接続機能付き個人用端末機は、
パーソナルコンピュータ、移動通信用端末機またはパーソナルデジタルアシスタンツ（ＰＤＡ）のうち一つであることを特徴とする請求項１ないし３のうちいずれか１項に記載の方法。
【請求項５】
移動通信用端末機がＡＲＳシステムに接続してＡＲＳシステムの案内に従ってＭＭＳデータを設定し、その設定したＭＭＳデータを前記ＭＭＳ用サーバが前記データベースの該当加入者領域に保存するステップ（ｄ）をさらに含むことを特徴とする請求項１に記載の方法。
【発明の詳細な説明】
【技術分野】
【０００１】
本発明は、マルチメディアメッセージングサービス（以下、「ＭＭＳ」と称する。）を提供するための方法に関し、移動通信用端末機の発信者が自分の所望の動画や結合されたイメージ（以下いわゆる「アバター」と称する。）及び名刺などのイメージや、背景音楽や文字データなどを始めとした所定のＭＭＳデータを予め設定し、その設定したＭＭＳデータを発信者の移動通信用端末機が指定した着信者の移動通信用端末機に伝送するＭＭＳ方法に関する。
【背景技術】
【０００２】
情報通信技術の発達と生活形態の変化及び高度経済成長などに伴い、通信文化の形態が急速に変わってきている。情報化社会において、高速の情報伝達に対する消費者の要求に応じて時間と場所を問わず地下、空中及び海上は勿論、山岳地域においても通信サービスを受けられる移動通信システムは、日常生活では欠かせない重要な通信媒体の一つになっている。
【０００３】
前述した移動通信システムにおいて、移動通信用端末機は、短文メッセージングサービス（以下、「ＳＭＳ」と称する。）を支援することができ、相互間に８０バイト内で所定の文字データを伝送できる。最近では、前記ＳＭＳの容量制限を超える一層アップグレードされたサービスで一回に伝送できる情報量が極めて膨大であり、文字データは勿論結合されたイメージ及び名刺などのイメージと、動画及び背景音楽などを始めとした各種データを伝送することができるＭＭＳが開発され、使用されている。
【０００４】
移動通信用端末機を用いてＭＭＳデータを伝送する従来のＭＭＳ方法は、発信者が自分の移動通信用端末機を有線または無線でインターネットに接続するか、または有線で自分のコンピュータに接続し、所定のＭＭＳデータをインターネットまたはコンピュータからダウンロードし、それらを自分の端末機に保存する。また他の移動通信用端末機から受信されるＭＭＳデータは、予め発信者の端末機に保存されている。この状態で、発信者は、保存されているＭＭＳデータの中から伝送するＭＭＳデータを選択し、発信者の移動通信用端末機を用いて着信者の移動通信用端末機の電話番号を入力すると同時に、前記選択したＭＭＳデータの伝送を発信者の移動通信用端末機に命令する。このとき、発信者の移動通信用端末機は、前記着信者の電話番号と共にＭＭＳデータを移動通信中継器に伝送する。移動通信中継器は、前記電話番号に該当する着信者の移動通信用端末機に前記ＭＭＳデータを伝送して、着信者がＭＭＳデータを確認できるようにしている。
【０００５】
しかし、このような従来のＭＭＳ方法を用いてＭＭＳデータを伝送する場合、発信者と着信者の両方の移動通信用端末機がＭＭＳを支援しなければならない。発信者または着信者の移動通信用端末機のうちいずれか一つでもＭＭＳを支援しない場合、ＭＭＳデータは伝送できない。また、ＭＭＳデータを伝送する場合、発信者が伝送するＭＭＳデータを一つ一つ選択しなければならないという煩わしさがある。さらに、選択したＭＭＳデータを移動通信中継器にアップロードし、着信者の移動通信用端末機に伝送するので、ＭＭＳデータの伝送に時間がかかるという問題がある。
【発明の開示】
【発明が解決しようとする課題】
【０００６】
本発明の目的は、発信者が所定の所望のＭＭＳデータを前もって設定しておき、発信者がメッセージの伝送を要請する時に、発信者の移動通信用端末機が前記予め設定したＭＭＳデータを着信者の移動通信用端末機に伝送するＭＭＳの提供方法を提供することである。
【０００７】
本発明の他の目的は、発信者が発信者の移動通信用端末機によって文字データを入力する時、その文字データを発信者が予め設定したＭＭＳデータと共に着信者の移動通信用端末機に伝送するＭＭＳの提供方法を提供することである。
【０００８】
本発明のさらに他の目的は、発信者が発信者の移動通信用端末機により着信者の移動通信用端末機の電話番号を入力させながらメッセージの伝送を要請するたびに、前記予め設定したＭＭＳデータを着信者の移動通信用端末機に伝送するＭＭＳの提供方法を提供することである。
【０００９】
本発明のさらに他の目的は、発信者の移動通信用端末機がＭＭＳを支援するか否かを問わず、着信者の移動通信用端末機にＭＭＳデータが伝送できるＭＭＳの提供方法を提供することである。
【００１０】
本発明のさらに他の目的は、着信者の移動通信用端末機がＭＭＳを支援するか否かを判断して、着信者の端末機がＭＭＳを支援する場合は、発信者が設定したＭＭＳデータを着信者の端末機に伝送し、着信者の端末機がＭＭＳを支援しない場合は、発信者が設定したＭＭＳデータのうちＳＭＳデータだけを抽出して着信者の端末機に伝送するＭＭＳの提供方法を提供するところにある。
【課題を解決するための手段】
【００１１】
以上の目的を達成する本発明のＭＭＳの提供方法においては、加入者の個人用端末機をＭＭＳ用サーバに接続してＭＭＳデータを設定し、その設定したＭＭＳデータをデータベースの該当加入者領域に保存する。発信者の移動通信用端末機が着信者の移動通信用端末機にメッセージの伝送を要請する場合、前記ＭＭＳ用サーバが加入者領域に予め保存したデータを読み出し、そのデータを移動通信会社のサーバを通じて移動通信中継器に伝達してデータを着信者の移動通信用端末機に伝送する。
【００１２】
前記ＭＭＳデータの保存については、個人用端末機がＭＭＳ用サーバに接続してＭＭＳデータの選択を要請する場合、データベースのＭＭＳデータ領域に保存されているＭＭＳデータの目録を表示してＭＭＳデータを選択できるようにする。前記個人用端末機によって所定のＭＭＳデータを選択する場合、その選択したＭＭＳデータを表示し、選択したＭＭＳデータを加入者のＭＭＳデータとして設定するか否かを判断する。このＭＭＳデータを加入者のＭＭＳデータとして設定しない場合、前記ＭＭＳデータの目録を再び表示する動作を繰り返し、ＭＭＳデータを選択できるようにする。前記ＭＭＳデータを加入者のＭＭＳデータとして設定する場合、その設定したＭＭＳデータをデータベースの該当加入者領域に保存する。さらに、個人用端末機がＭＭＳ用サーバに接続してＭＭＳデータの選択を要請する場合、前記個人用端末機からＭＭＳデータを受け取り、受け取ったＭＭＳデータをデータベースの該当加入者領域に保存する。
【００１３】
前記加入者領域に保存したデータの読み出しについては、発信者の移動通信用端末機が着信者の移動通信用端末機にメッセージの伝送を要請する場合、移動通信会社のサーバが発信者及び着信者の電話番号と着信者の移動通信用端末機の情報をＭＭＳ用サーバに提供する。ＭＭＳ用サーバは、提供された着信者の移動通信用端末機の情報に基づき、着信者の移動通信用端末機がＭＭＳを支援するか否かを判断する。着信者の移動通信用端末機がＭＭＳを支援すると判断された場合、発信者のデータベースの該当加入者領域に保存されたＭＭＳデータを読み出す。着信者の移動通信用端末機がＭＭＳを支援しないと判断された場合は、発信者のデータベースの該当加入者領域に保存されたＭＭＳデータに含まれるＳＭＳデータだけを読み出す。
【００１４】
前記ＭＭＳデータの伝送については、発信者の移動通信用端末機によって文字データが入力されるか否かを判断する。端末機により文字データが入力されると判断された場合、その文字データを前記読み出したＭＭＳデータと共に移動通信会社のサーバを通じて移動通信中継器に伝達して、両方のデータを着信者の移動通信用端末機に伝送する。
【００１５】
また、本発明の方法では、発信者の移動通信用端末機がＡＲＳシステムに接続してＡＲＳシステムの案内にしたがってＭＭＳデータを設定し、そのＭＭＳデータを前記ＭＭＳ用サーバがデータベースの該当加入者領域に保存する。 
【発明の効果】
【００１６】
以上に述べた本発明によれば、加入者である発信者がＭＭＳ用サーバのデータベースに所定の所望のＭＭＳデータを前もって保存しておき、その保存したＭＭＳデータを着信者の移動通信用端末機に伝送する。このとき、発信者の移動通信用端末機がＭＭＳを支援するか否かを問わず、着信者の移動通信用端末機の種類に応じてＭＭＳデータまたはＳＭＳデータを伝送することができる。また、発信者が発信者の移動通信用端末機により文字データを入力する場合、その文字データと発信者が指定したＭＭＳデータを共に伝送することができる。さらに、ＭＭＳデータを伝送するたびにＭＭＳデータを一つ一つ設定しなくてもよいという効果を奏する。
【発明を実施するための最良の形態】
【００１７】
以下、添付の図面を参照して本発明のＭＭＳの提供方法を詳述する。
【００１８】
図１は本発明のＭＭＳの提供方法が適用されるＭＭＳシステムの構成を示すブロック図である。ここで、１００はトランスミッションコントロールプロトコル／インターネットプロトコル（ＴＣＰ／ＩＰ）を基盤にするデータ通信ネットワークであるインターネットであり、１１０はＭＭＳ用サーバであり、１２０はＭＭＳ用サーバ１１０に接続されるデータベースである。データベース１２０は、複数のＭＭＳデータを保存するためのＭＭＳデータ領域１２１と、ＭＭＳ用サーバ１１０への加入者によって設定されるＭＭＳデータを保存するための加入者領域１２３を備える。
【００１９】
１３０はＭＭＳ用サーバ１１０に接続されるＡＲＳシステムである。移動通信用端末機（図示せず。）をＡＲＳシステム１３０に接続する時、ＡＲＳシステム１３０はデータベース１２０のＭＭＳデータ領域１２１に保存されているＭＭＳデータの音声による案内を行い、移動通信用端末機が選択するＭＭＳデータをＭＭＳ用サーバ１１０に知らせて、ＭＭＳデータがデータベース１２０の加入者領域１２３に保存されるようにする。
【００２０】
１４０は、複数の加入者によって使用される、インターネット接続機能付きパーソナルコンピュータ、移動通信用端末機及びパーソナルデジタルアシスタンツ（ＰＤＡ）などの複数の個人用端末機である。個人用端末機１４０はそれぞれインターネット１００を通じてＭＭＳ用サーバ１１０に接続して、データベース１２０のＭＭＳデータ領域１２１に保存されているＭＭＳデータについての案内を受け取る。次に、個人用端末機１４０は、その案内されたＭＭＳデータを選択し、データベース１２０の加入者領域１２３に保存させるか、あるいは個人用端末機１４０を通じて直接的に入力されるＭＭＳデータをＭＭＳ用サーバ１１０に伝送し、データベース１２０の加入者領域１２３に保存させる。
【００２１】
１５０は移動通信用端末機を相互に接続して電話通話及びＭＭＳデータが伝送できるようにする複数の移動通信中継器であり、１６０は複数の移動通信会社のサーバである。各サーバ１６０は、該当の移動通信中継器１５０で告知される発信者の移動通信用端末機の電話番号で、その発信者がＭＭＳ用サーバ１１０の加入者なのか否かを判断する。発信者が加入者であると判断された場合、サーバ１６０は、インターネット１００を介して判断結果をＭＭＳ用サーバ１１０に知らせて、加入者が設定したＭＭＳデータを受け取り、受け取ったＭＭＳデータを移動通信中継器１５０に入力して、着信者の移動通信用端末機に伝送するよう制御できるようにする。
【００２２】
このような構成のＭＭＳシステムに適用される本発明のＭＭＳ方法によれば、図２に示したように、ステップ２００において、インターネット接続機能付きパーソナルコンピュータ、移動通信用端末機あるいはＰＤＡなどの個人用端末機１４０が、インターネット１００を通じてＭＭＳ用サーバ１１０に接続される場合、ＭＭＳ用サーバ１１０はステップ２０２においてインターネット１００を介して個人用端末機１４０に初期画面を伝送し、その伝送した初期画面を通じてステップ２０４で個人用端末機１４０の使用者が加入者であるか否かを判断する認証手続を行う。使用者が加入者でない場合、ＭＭＳ用サーバ１１０は会員として加入するよう勧める。ここで、個人用端末機１４０の使用者が会員として加入すれば、ＭＭＳ用サーバ１１０はデータベース１２０に該当の会員が選択するＭＭＳデータを保存するための加入者領域１２３を設定する。
【００２３】
前記会員認証手続が完了すれば、ＭＭＳ用サーバ１１０はステップ２０６で加入者の個人用端末機１４０がＭＭＳデータの直接入力を要請するのか、あるいはステップ２０８でデータベース１２０のＭＭＳデータ領域に保存されているＭＭＳデータの選択を要請するのかを判断する。
【００２４】
ステップ２０６で個人用端末機１４０がＭＭＳデータの直接入力を要請する場合、ＭＭＳ用サーバ１１０はステップ２１０で個人用端末機１４０から入力されたＭＭＳデータを受け取る。ＭＭＳ用サーバ１１０はステップ２１２でＭＭＳデータの入力が完了したか否かを判断する。ＭＭＳデータの入力が完了していないと判断された場合、ステップ２１０で継続してＭＭＳデータを受け取る。ステップ２１２でＭＭＳデータの入力が完了したと判断された場合、受け取ったＭＭＳデータをＭＭＳ用サーバ１１０がステップ２１４でデータベース１２０に伝送して、該当する加入者領域１２３に保存する。
【００２５】
そして、ステップ２０８で個人用端末機１４０がＭＭＳデータの選択を要請する場合、ＭＭＳ用サーバ１１０はステップ２１６でデータベース１２０のＭＭＳデータ領域１２１に保存されているＭＭＳデータの目録を個人用端末機１４０に伝送して表示する。ステップ２１８で、個人用端末機１４０を通じて表示した目録のうち所定のＭＭＳデータを選択する場合、ＭＭＳ用サーバ１１０はデータベース１２０のＭＭＳデータ領域１２１から選択されたＭＭＳデータを読み出し、個人用端末機１４０に読み出したＭＭＳデータを伝送してステップ２２０で表示及び確認できるようにする。そして、ステップ２２２でＭＭＳデータを個人用端末機１４０に設定するか否かを判断する。
【００２６】
ステップ２２２で個人用端末機１４０に前記ＭＭＳデータを設定しないと判断された場合、ステップ２１６に復帰して他のＭＭＳデータを選択及び確認できるようにする。
【００２７】
そして、ステップ２２２で個人用端末機１４０にＭＭＳデータを設定すると判断された場合、ＭＭＳ用サーバ１１０はステップ２２４で個人用端末機１４０からＭＭＳデータと共に伝送する所定の文字データを受け取る。ステップ２２６で文字データの入力が完了すれば、ＭＭＳ用サーバ１１０はステップ２２８で設定したＭＭＳデータ及び入力された文字データをデータベース１２０の該当加入者領域１２３に保存する。
【００２８】
このように構成された本発明により、使用者は、パーソナルコンピュータ、移動通信用端末機及びＰＤＡなどのインターネット接続機能付き個人用端末機１４０を用いてインターネット１００を介してＭＭＳ用サーバ１１０に接続して、データベース１２０に保存されているＭＭＳデータのうち所定の所望のＭＭＳデータを選択したり、あるいは個人用端末機１４０を通じて所定のＭＭＳデータを伝送してデータベース１２０の加入者領域に前もって保存することができるようになる。
【００２９】
図３は、本発明のＭＭＳの提供方法において、加入者がＡＲＳシステムに接続してＭＭＳデータを設定する動作を示したフローチャートである。同図に示すように、ステップ３００で移動通信用端末機がＡＲＳシステム１３０に接続される場合、ＡＲＳシステム１３０はステップ３０２において所定の音声による案内を行いながら加入者認証手続を行う。例えば、使用者が加入者ではない場合、ＡＲＳシステムは音声による案内を行って使用者が会員として加入できるようにする。使用者が加入者である場合は、ＡＲＳシステム１３０は加入者から暗証番号などを受け取り加入者であることを確認する。この際、ＡＲＳシステム１３０は会員として加入した加入者の情報をＭＭＳ用サーバ１１０に知らせて、データベース１２０に加入者領域１２３を生成するようにする。
【００３０】
加入者認証手続が完了すれば、ＡＲＳシステム１３０はステップ３０４でＭＭＳデータの設定を案内し、ステップ３０６でＭＭＳデータの設定が完了したか否かを判断する。例えば、ＭＭＳデータは種類別に区分されており、ＡＲＳシステムはその区分されているＭＭＳデータに対して一つずつ音声による案内を行って、加入者が選択するＭＭＳデータを加入者の移動通信用端末機に伝送し、加入者が伝送されたＭＭＳデータを確認及び設定できるようにする。この際、加入者の移動通信用端末機がＭＭＳを支援しない場合、ＡＲＳシステム１３０はＭＭＳデータのうち背景音楽などの音声データだけしか加入者の移動通信用端末機に伝送することができない。よって、加入者は音声データを確認及び設定できても、イメージや動画などは設定することができない。加入者の移動通信用端末機がＭＭＳを支援する場合は、ＡＲＳシステム１３０はＭＭＳデータのうち背景音楽、イメージ、動画などを全て加入者の移動通信用端末機に伝送することができ、これらを全て確認及び設定することができる。
【００３１】
このような状態でＭＭＳデータの設定が完了すれば、ＡＲＳシステム１３０はステップ３０８で加入者情報及びその加入者が設定したＭＭＳデータをＭＭＳ用サーバ１１０に伝達する。そして、ＭＭＳ用サーバ１１０は設定したＭＭＳデータをデータベース１２０に入力し、該当加入者領域１２３に保存する。
【００３２】
図４は、本発明のＭＭＳの提供方法において着信者に加入者が設定したＭＭＳデータを伝送する動作を示したフローチャートである。同図に示すように、発信者が移動通信用端末機により着信者の移動通信用端末機の所定の電話番号を入力し、自分が設定したメッセージ（ＭＭＳデータ）の伝送を要請したり、または所定の文字データを入力して伝送する場合、移動通信中継器１５０に接続されている移動通信会社のサーバ１６０は発信者の電話番号でＭＭＳ用サーバ１１０の加入者であるか否かを確認する。発信者が加入者であることが確認された場合、サーバ１６０はステップ４００で発信者と着信者の情報をインターネット１００を介してＭＭＳ用サーバ１１０に入力する。ここで、サーバ１６０がＭＭＳ用サーバ１１０に入力する情報は、例えば、発信者の電話番号、着信者の電話番号、発信者が移動通信用端末機を通じて入力した所定の文字データ、着信者の移動通信用端末機がＭＭＳを支援するか否かについての情報などを含む。
【００３３】
次に、ＭＭＳ用サーバ１１０はステップ４０２で入力されたデータに着信者の移動通信用端末機がＭＭＳを支援するか否かについての情報が含まれているか否かを判断する。入力されたデータに着信者の移動通信用端末機がＭＭＳを支援するか否かについての情報が含まれていないと判断された場合、ＭＭＳ用サーバ１１０はステップ４０４で、着信者の移動通信用端末機が加入している該当移動通信会社のサーバ１６０に着信者の移動通信用端末機がＭＭＳを支援するか否かについての情報を要請する。ステップ４０６で、ＭＭＳ用サーバ１１０は、該当サーバ１６０から着信者の移動通信用端末機がＭＭＳを支援するか否かについての情報を受け取る。すなわち、発信者と着信者が同一の移動通信会社に加入している場合、該当の移動通信会社のサーバ１６０には着信者の移動通信用端末機についての情報が保存されているので、ＭＭＳ用サーバ１１０は着信者の移動通信用端末機についての情報を知ることができる。これに対し、発信者と着信者が異なる移動通信会社に加入している場合、発信者が加入している移動通信会社のサーバ１６０に着信者の移動通信用端末機についての情報が保存されていないので、ＭＭＳ用サーバ１１０はその情報を知ることができない。したがって、ステップ４０２でサーバ１６０から入力される情報に着信者の移動通信用端末機についての情報が含まれているか否かが判断され、着信者の移動通信用端末機についての情報がそこに含まれていないと判断された場合、ステップ４０４で、着信者が加入している該当の移動通信会社のサーバ１６０に着信者の移動通信用端末機についての情報を伝送するよう要請して、ステップ４０６でその情報を受け取る。
【００３４】
次のステップ４０８において、ＭＭＳ用サーバ１１０は着信者の移動通信用端末機がＭＭＳを支援するか否かを判断する。着信者の移動通信用端末機がＭＭＳを支援することが可能な移動通信用端末機であると判断された場合、ＭＭＳ用サーバ１１０はステップ４１０で発信者の電話番号に該当する加入者領域１２３に保存されているＭＭＳデータと発信者が自分の移動通信用端末機を通じて入力した文字データをサーバ１６０が要求する所定のパケットに変換し、その変換したパケットをステップ４１２でインターネット１００を介してサーバ１６０に伝達する。サーバ１６０はＭＭＳ用サーバ１１０から入力されたパケットを移動通信中継器１５０に伝達して、パケットが着信者の移動通信用端末機に伝送されるようにする。
【００３５】
ステップ４０８で、着信者の移動通信用端末機がＭＭＳを支援することができる移動通信用端末機ではないと判断された場合、ステップ４１４で前記発信者の電話番号に該当するデータベース１２０の加入者領域１２３に保存されているＭＭＳデータのうちＳＭＳデータだけを抽出する。すなわち、ＭＭＳを支援できない移動通信用端末機の画面には動画及びイメージなどを表示できないため、発信者の加入者領域１２３からＳＭＳデータだけを抽出する。
【００３６】
次のステップ４１６で、ＭＭＳ用サーバ１１０は抽出したＳＭＳデータと前記発信者が自分の移動通信用端末機で入力した文字データをサーバ１６０が要求する所定のパケットに変換する。そして、その変換したパケットをステップ４１２でインターネット１００を通じてサーバ１６０に伝達する。サーバ１６０はＭＭＳ用サーバ１１０から入力されたパケットを移動通信中継器１５０に伝達して、着信者の移動通信用端末機に伝送されるようにする。この際、ＳＭＳデータ及び文字データの容量がＳＭＳを支援可能な移動通信用端末機の容量すなわち８０バイトを超える場合、ＳＭＳデータ及び文字データを８０バイトずつに分離して複数のパケットを生成する。生成した複数のパケットを順次移動通信中継器１５０に伝達して、順番に着信者の移動通信用端末機に伝送されるようにする。
【００３７】
一方、以上本発明を特定の好適な実施例に関連づけて説明したが、添付の特許請求の範囲により定義される本発明の精神や範囲を逸脱しない範囲内で、多様な修正および変更を行うことができるということは、当業界で通常の知識を有する者には容易に理解される。
【図面の簡単な説明】
【００３８】
【図１】本発明のＭＭＳの提供方法が適用されるＭＭＳシステムの構成を示したブロック図である。
【図２】本発明のＭＭＳの提供方法において加入者が個人用端末機を通じてＭＭＳデータを設定する動作を示したフローチャートである。
【図３】本発明のＭＭＳの提供方法において加入者がＡＲＳシステムに接続してＭＭＳデータを設定する動作を示したフローチャートである。
【図４】本発明のＭＭＳの提供方法において着信者の移動通信用端末機にＭＭＳデータを伝送する動作を示したフローチャートである。
【図１】
2006514513.tif 000003
【図２】
2006514513.tif 000004
【図３】
2006514513.tif 000005
【図４】
2006514513.tif 000006
【国際調査報告】
2006514513.tif 000007
2006514513.tif 000008